(57)【要約】【目的】  ユーザの意志で番組情報の取得が行えると共にその操作性に優れたディジタル放送受信装置を提供する。【構成】  ＥＰＧ画面の表示状態において、リモコン送信機１０のＥＰＧ情報取得キーを１回操作すると、ＣＰＵ１３及びチューナ２等により、現在のＥＰＧ表示で未表示欄（番組情報未取得）に対応する番組情報を取得する処理が実行される。更に、ＥＰＧ情報取得キーの２回目の操作を行うと、メモリ１４上に保持している全ての番組情報をクリアし、全チャンネルサーチを実行して全チャンネルの番組情報を取得してメモリ１４に格納していく処理を行う。【選択図】        図１
2005033602.tif 000002
【特許請求の範囲】
【請求項１】
地上ディジタル放送波から番組情報を分離取得して電子番組ガイド表示を行うようにしたディジタル放送受信装置において、現時点の電子番組ガイド表示で未取得番組情報が存在する場合にその取得に必要な各種情報から成る取得情報を生成する手段と、電子番組ガイド表示中に所定キーが操作されたかどうかを検出する手段と、前記所定キーが操作されたときに、前記取得情報に基づいて受信処理を実行して未取得番組情報を取得する手段と、を備えたことを特徴とするディジタル放送受信装置。
【請求項２】
請求項１に記載のディジタル放送受信装置において、未取得番組情報の取得が完了したときに元の選局状態に復帰して受信番組映像を表示するように構成されたことを特徴とするディジタル放送受信装置。
【請求項３】
請求項１又は請求項２に記載のディジタル放送受信装置において、電子番組ガイド表示中に前記所定キーの２回目の操作がなされたときに、前記ガイドの表示外のチャンネルについて選局を実行して番組情報を取得するように構成されたことを特徴とするディジタル放送受信装置。
【請求項４】
請求項３に記載のディジタル放送受信装置において、現時点の電子番組ガイド表示のチャンネルを優先して番組情報を取得するように構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
地上波を用いたディジタル放送を受信するディジタル放送受信装置は、地上波用アンテナを通して受け取った複数の放送波のなかから任意の放送波をチューナによって選択し、この選択した放送波に含まれる複数のチャンネル（サービス）のなかから任意のチャンネルをデマルチプレクス処理によって選択し、この選択したチャンネルのディジタル信号を取り出し、これをデコードすることによって映像・音声信号を出力することになる。
【０００３】
かかる地上ディジタル放送を受信する受信装置においては、電源ＯＮ中に受信可能な全てのサービスに関する最新の番組情報を取得するために、チャンネルサーチを行うのが望ましいと考えられる。なお、チャンネルサーチを行う放送受信装置としては、アナログ放送とディジタル放送のそれぞれを担当する二つのＣＰＵにおいて並行してチャンネルサーチを行うものがある（特許文献１参照）。
【特許文献１】特開２００２−１７１４５３号公報
【発明の開示】
【発明が解決しようとする課題】
【０００４】
しかしながら、地上ディジタル放送では、ＥＰＧ表示を行う場合、番組情報は受信放送波のトランスポートストリーム（ＴＳ）の分しか送信されておらず、全チャンネルの番組ガイドを表示するのであれば、他のトランスポートストリームに切り替えていく必要があり、番組映像を途切れなく表示することは不可能となる。また、例えば、電源ＯＦＦ時（スタンバイ時）を利用し受信しておいた番組情報をメモリに保持しておけば、この保持している番組情報に基づいて、番組映像を受信表示しながらＥＰＧ表示が行えるが、かかる場合でも、番組情報が未取得である場合にはその対応する番組欄の表示は行えず、また、必ずしも最新の情報を表示することにはならない。
【０００５】
この発明は、上記の事情に鑑み、ユーザの意志で番組情報の取得が行えると共にその操作性に優れたディジタル放送受信装置を提供することを目的とする。
【課題を解決するための手段】
【０００６】
この発明のディジタル放送受信装置は、上記の課題を解決するために、地上ディジタル放送波から番組情報を分離取得して電子番組ガイド表示を行うようにしたディジタル放送受信装置において、現時点の電子番組ガイド表示で未取得番組情報が存在する場合にその取得に必要な各種情報から成る取得情報を生成する手段と、電子番組ガイド表示中に所定キーが操作されたかどうかを検出する手段と、前記所定キーが操作されたときに、前記取得情報に基づいて受信処理を実行して未取得番組情報を取得する手段と、を備えたことを特徴とする。
【０００７】
上記の構成であれば、電子番組ガイド表示中にユーザが所定キーを操作することで、番組情報の取得の意志を装置側に伝えることができ、装置は未取得の番組情報を取得し、電子番組ガイド表示の各欄には漏れなく情報が表示されることになる。
【０００８】
未取得番組情報の取得が完了したときに元の選局状態に復帰して受信番組映像を表示するように構成されていてもよい。
【０００９】
電子番組ガイド表示中に前記所定キーの２回目の操作がなされたときに、前記ガイドの表示外のチャンネルについて選局を実行して番組情報を取得するように構成されていてもよい。これによれば、電子番組ガイド表示中にユーザが所定キーを２回操作することで、ガイド表示外の他のチャンネルについての最新の番組情報の取得の意志を装置側に伝えることができ、装置は例えば全チャンネルの最新の番組情報を取得する。
【００１０】
また、上記構成において、現時点の電子番組ガイド表示のチャンネルを優先して番組情報を取得するように構成されていてもよい。
【発明の効果】
【００１１】
以上説明したように、この発明であれば、電子番組ガイド表示中にユーザが所定キーを操作することで、番組情報の取得の意志を装置側に伝えることができ、装置は未取得の番組情報を取得し、電子番組ガイド表示の各欄に漏れなく情報を表示することができる。また、電子番組ガイド表示中にユーザが所定キーを２回操作することで、全チャンネルについての最新の番組情報の取得の意志を装置側に伝えることができ、装置は全チャンネルの最新の番組情報を取得するという効果を奏する。
【発明を実施するための最良の形態】
【００１２】
以下、この発明の実施形態を図１乃至図６に基づいて説明する。図１はこの実施形態のディジタル放送受信装置３０を示したブロック図であり、図２乃至図５はＥＰＧ表示・番組情報取得関連処理を説明したフローチャートであり、図６はＴＳ切替情報及び取得情報の概要を示した説明図である。
【００１３】
図１において、アンテナ１は、屋外において所定の方向に向けて配置されており、地上放送局から送られてくるディジタル放送信号を受信する。
【００１４】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１５】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組情報（番組名、番組開始時刻、番組内容情報等）等をＣＰＵ１３に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。
【００１６】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。デコードにより生成された映像データは映像処理回路５に出力され、音声データは音声処理回路６に出力される。
【００１７】
映像処理回路５は、ＡＶデコーダ４から映像データを受け取ってＤ／Ａ変換を行い、例えばコンポジット映像信号に変換する。音声処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００１８】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってＣＲＴ１６ａ及びスピーカ１６ｂを備えるモニタ１６が接続される。
【００１９】
ＯＳＤ回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、番組情報に基づくＥＰＧ（Ｅｌｅｃｔｒｏｎｉｃ  Ｐｒｏｇｒａｍ  Ｇｕｉｄｅ）表示などが行えることになる。
【００２０】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。この実施形態では、リモコン送信機１０にはＥＰＧ画面を表示させるためのＥＰＧキーが設けられていると共に、ＥＰＧ画面の表示状態で番組情報の取得を装置３０に指令（許可）するためのＥＰＧ情報取得キー（専用キー或いは兼用キー）が設けられている。
【００２１】
メモリ（ＲＡＭ、ＥＥＰＲＯＭ、フラッシュメモリ等）１４には、ＥＰＧ画面を表示するためのＥＰＧ情報（番組情報）などが格納される。
【００２２】
ＣＰＵ１３は、このディジタル放送受信装置３０における全体制御を行うものであるが、特にこの発明にかかる制御として、以下に示すＥＰＧ情報取得制御を行うようになっている。
【００２３】
番組情報（ＥＰＧ情報）の取得は二段階的に行う。ＣＰＵ１３はリモコン送信機１０のＥＰＧキーが操作され（ＥＰＧ画面表示状態となり）、更にＥＰＧ情報取得キーが操作されたことを検出すると、第１のＥＰＧ情報取得制御を実行するが、更に続けてＥＰＧ情報取得キーが操作されたことを検出すると、第２のＥＰＧ情報取得制御を実行するようにしている。ユーザによるＥＰＧ情報取得キーの操作は、放送受信装置３０に対して、「番組映像の表示が停止してでも番組情報の取得を優先する」というユーザ意志を伝えるものとなる。また、ＥＰＧ画面表示は、例えば、３チャンネル分で６時間分が画面表示されるとし、ＣＰＵ１３はこの表示を行おうとする３チャンネル分で６時間分の欄についてのＥＰＧ情報をメモリ１４から読み出して各欄内に情報を表示する処理を行うが、ＥＰＧ情報が未取得である欄については、例えば、空白表示或いは「未取得」といった文字表示を行う。また、ＥＰＧ画面の最初の表示でどのチャンネルを表示するかについては、例えば、現在視聴チャンネルの欄を画面中央に位置させ、そのチャンネル番号より小さい番号のチャンネルを左欄に、大きい番号のチャンネルを右欄に表示する表示形態などがある。
【００２４】
［ＥＰＧ表示段階の制御］
以下の説明では、ＥＰＧ表示段階において、ＥＰＧ表示処理とＱＵＥ格納処理とを行うものとしている。図２のフローチャートに示すように、ＥＰＧキーが押されると（ステップＳ１でＹＥＳ）、現在表示しようとするＥＰＧ画面におけるチャンネル番号及び時間帯情報を取得し（ステップＳ２）、ＥＰＧ表示に必要となるＥＰＧ情報のデータをメモリ１４から読み出してＥＰＧ表示処理を行うが、各チャンネル及び各時間帯における必要データが存在しないときには、ＥＰＧ表示の対応欄において空白表示或いは「未取得」といった文字表示が行われる。そして、このように、各チャンネル及び時間帯におけるＥＰＧ情報のデータが存在しないときには（ステップＳ３でＹＥＳ）、切り替えるべきトランスポートストリームの情報（以下、ＴＳ切替情報という）、及び番組情報を取得するための情報（以下、取得情報という）をＱＵＥ（待ち行列）に格納し（ステップＳ４）、データ取得関連処理に進む（ステップＳ５）。
【００２５】
ＴＳ切替情報は、図６に示すように、放送波の周波数情報及びＴＳ ＩＤから成り、取得情報は、サービスＩＤ及び取得すべき時間の情報から成る。前述のＱＵＥ格納処理（ステップＳ４）においては、図４に示すように、ＴＳ情報が他のＱＵＥに存在するかどうかを判断する（ステップＳ３１）。存在しないのであれば、切り替えるべきＴＳ切替情報及び取得情報をＱＵＥの最後列に格納し（ステップＳ３２）、存在するのであれば、取得情報を既存のＴＳ切替情報に対応付けて格納する（ステップＳ３３）。すなわち、チャンネル番号（サービスＩＤ）が異なってもそれらが同一トランスポートストリームに存在するのであれば、該当トランスポートストリームの受信に際して複数チャンネルの番組情報を纏めて取得することにより効率化を図るようにしている。
【００２６】
データ取得関連処理（ステップＳ５）では、図３に示すように、リモコン送信機１０におけるキーの押下を判断する（ステップＳ１１）。すなわち、ＥＰＧ画面の表示状態において、先述のＥＰＧ情報取得キー（或いは他のキー）が押下されたかどうかを判断する。キー押下を検出しそれがＥＰＧ情報取得キーであれば当該キーの第１回目のキー操作なのかどうかを判断する（ステップＳ１２）。ＥＰＧ情報取得キーの第１回目キー操作であれば、第１のＥＰＧ情報取得制御を実行する。具体的には、現在受信しているＰＳＩ／ＳＩ中のＢＩＴ（broadcaster information table ）を確認し、現在視聴ＴＳにおけるＥＰＧ情報のデータ取得が終了しているかどうかを判断する（ステップＳ１３）。取得終了であれば、ＴＳ切替情報及び取得情報をＱＵＥから取得し（ステップＳ１４）、ＴＳを切り替える（ステップＳ１５）。例えば、ＥＰＧ処理ソフトウェア側から引数として前記取得情報がＣＰＵ１３（ＯＳ）側に与えられ、ＣＰＵ１３（ＯＳ）の所定の関数により当該取得情報に基づいたＴＳ切替処理が実行される。ＴＳ切替が完了すると（ステップＳ１６でＹＥＳ）、フィルタ取得要求を実行する（ステップＳ１７）。すなわち、ＣＰＵ１３（ＯＳ）はデマルチプレクサ３に対して番組情報のデータ（ＥＩＴ等）の分離取得を要求する。ＣＰＵ１３は、図５のフローチャートに示すように、デマルチプレクサ３から取得したＥＰＧ情報のデータをメモリ１４に格納し（ステップＳ３４）、データが取得できたことをＥＰＧ処理ソフトウェア側に通知する（ステップＳ３５）。取得情報に対応した番組情報のデータ取得処理が完了すれば（ステップＳ１８でＹＥＳ）、ステップＳ１１に進み、未だであればステップＳ１４に進む。かかる第１のＥＰＧ情報取得制御により、現在表示のＥＰＧ画面において、各番組欄の情報は全て表示されるものとなる。
【００２７】
ステップＳ１２でＮＯとされたときには、ＥＰＧ情報取得キーの第２回目のキー操作であるのかどうかを判断する（ステップＳ１９）。第２回目のキー操作であれば、第２のＥＰＧ情報取得制御を実行する。具体的には、メモリ１４上に保持している全ての番組情報をクリアし（ステップＳ２０）、全チャンネルサーチ（例えば、１３ｃｈから６２ｃｈの全て或いは、予め有局と判定されているチャンネルの全て）を実行して全チャンネルの番組情報を取得してメモリ１４に格納していく処理を行う（ステップＳ２１）。かかる第２のＥＰＧ情報取得制御により、全チャンネルについて最新の番組情報に更新されることになる。すなわち、ユーザの意思表示に基づいて全チャンネルサーチが実行されることになる。
【００２８】
ステップＳ１９でＮＯとされたときには、ＥＰＧ情報取得キーの３回目以上のキー操作であるのかどうかを判断する（ステップＳ２２）。３回目以上のキー操作の場合も、ステップＳ２０及びステップＳ２１を経て、全チャンネルについて繰り返し最新の番組情報を取得する処理を行うようにしている。一方、ＥＰＧ情報取得キーの３回目以上のキー操作でなければ、すなわち、他のキーの操作であれば、当該他のキーに対応した処理を実行する（ステップＳ２３）。例えば、他のキーがＥＰＧキーであれば、ＥＰＧ表示を終了して受信番組の映像表示モードに遷移する。
【００２９】
［処理変形例］
イ．上記の例では、３回目以上のキー操作の場合も全チャンネルサーチを実行することとしたが、３回目以上のキー操作については無視する（状態遷移を生じさせない）ようにしてもよい。また、このとき、画面には「無効です」といったＯＳＤ表示を行うようにしてもよい。
【００３０】
ロ．上記の全チャンネルサーチについては、周波数の低い順に実行していく方法、或いは、この方法において、前記ＱＵＥを利用して現在ＥＰＧ表示におけるチャンネルを優先する処理を組み入れてもよい。そして、この場合において、ステップＳ１８を経て取得情報に対するＥＰＧ情報のデータ取得処理が完了しているのであれば、最初の全チャンネルサーチについてはそれを利用して他のチャンネルからサーチを始めることしてもよい。
【００３１】
ハ．第２のＥＰＧ情報取得制御においては、ＥＰＧ情報取得キーの更なる押下に関わらず、全チャンネルサーチの完了後も繰り返して全チャンネルサーチを行うようにしてもよい。
【００３２】
ニ．ＥＰＧ表示の段階でＴＳ切替情報及び取得情報のＱＵＥ格納処理を実行したが、ＥＰＧ情報取得キーが最初に押下された段階でまずＴＳ切替情報及び取得情報のＱＵＥ格納処理を行うといった処理を採用してもよい。
【００３３】
ホ．キー押下判定は、各処理の実行中にも行い、押下を判定すると処理途中の状態から他の状態に遷移することとしてもよい。
【００３４】
ヘ．第１のＥＰＧ情報取得制御状態において、方向キーが押下されてＥＰＧ画面上に表示されるチャンネル番号の欄や時間帯が変化して新たな番組情報の取得が必要となったときには、その番組情報の取得を行うこととする。
【００３５】
ト．第１のＥＰＧ情報取得制御状態において、全てのＱＵＥについての番組情報取得が完了したときに（ステップＳ１８でＹＥＳ）、元の選局状態に復帰して受信番組映像を表示するようにしてもよい。また、このとき、受信番組映像上に半透明でＥＰＧ画面を重ねて表示してもよいし、或いは、ＥＰＧ表示と共に縮小処理した受信番組映像をＯＳＤ機能によって合成表示してもよい。
【００３６】
チ．例えば、データ放送番組の受信中にＥＰＧキーが押下され、更にＥＰＧ情報取得キーが押下されて番組情報取得処理が実行されるとき、デマルチプレクサ３のフィルタ資源割り当てにおいて、データ放送データ受信に割り当てていたフィルタ資源を番組情報取得用に割り振る処理を実行してもよい。
【図面の簡単な説明】
【００３７】
【図１】この発明の実施形態のディジタル放送受信装置を示したブロック図である。
【図２】処理内容を示したフローチャートである。
【図３】処理内容を示したフローチャートである。
【図４】処理内容を示したフローチャートである。
【図５】処理内容を示したフローチャートである。
【図６】ＴＳ切替情報及び取得情報を示した説明図である。
【符号の説明】
【００３８】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2005033602.tif 000003
【図２】
2005033602.tif 000004
【図３】
2005033602.tif 000005
【図４】
2005033602.tif 000006
【図５】
2005033602.tif 000007
【図６】
2005033602.tif 000008